(57)【要約】【課題】  遊技盤面上で表示装置における表示領域よりも上方に配設された入賞部に入賞した遊技球を表示装置を回避して有利に誘導することが出来る、新規な構造の球誘導路を備えたパチンコ機を提供することを目的とする。【解決手段】  表示領域８６の上方に配設された入賞部６２に入賞した遊技球を誘導する球誘導路６０が装飾枠体３６における表示領域８６の上方から側方に亘って形成されており、かかる球誘導路６０によって遊技球を遊技盤１６の裏側に誘導するようにした。【選択図】      図３
2005211490.tif 000002
【特許請求の範囲】
【請求項１】
遊技盤の略中央に設けた窓部を通じて該遊技盤の表側から表示領域が見えるように該遊技盤の裏側に配設された表示装置と、該遊技盤の表側において該表示領域の周辺部に配設された装飾枠体と、該遊技盤の表側に配設されて遊技球が入賞可能な入賞部とを備えたパチンコ機において、
前記入賞部を前記表示領域の上方に配設すると共に、かかる入賞部に入賞した遊技球を誘導する球誘導路を前記装飾枠体における該表示領域の上方から該表示領域の側方に亘って形成し、該球誘導路によって、該入賞部に入賞した遊技球を前記遊技盤の裏側に誘導するようにしたことを特徴とするパチンコ機。
【請求項２】
前記装飾枠体に形成された前記球誘導路における前記遊技盤の裏側への出側開口を、前記表示装置に対して遊技球が通過可能な程度の隙間をもって対向位置せしめて、該球誘導路の出側開口から排出された遊技球を該隙間から該遊技盤の下方に誘導するようにした請求項１に記載のパチンコ機。
【請求項３】
前記球誘導路の出側開口から排出された遊技球を前記遊技盤の下方に誘導するための誘導通路を形成する誘導部材が前記隙間に配設されている請求項２に記載のパチンコ機。
【請求項４】
前記球誘導路が前記装飾枠体における前記表示領域の上方の幅方向略中央部分から該表示領域の左右両側の何れか一方に亘って形成されている請求項１乃至３の何れかに記載のパチンコ機。
【請求項５】
前記装飾枠体に対して、前記表示領域よりも上方において前記遊技盤の表側に突出する庇部を形成すると共に、該庇部内に前記球誘導路を形成し、該球誘導路によって、前記入賞部に入賞した遊技球を該遊技盤の表側において該表示領域の側方まで導いてから該遊技盤の裏側に誘導するようにした請求項１乃至４の何れかに記載のパチンコ機。
【請求項６】
前記表示領域の上方に配設された前記入賞部が前記装飾枠体に対して一体的に形成されている請求項１乃至５の何れかに記載のパチンコ機。
【発明の詳細な説明】
【技術分野】
【０００１】
本発明は、遊技盤の略中央に設けた窓部を通じて遊技盤の表側に表示領域が見えるように遊技盤の裏側に配設された表示装置と、遊技盤の表側において表示領域の周辺部に配設された装飾枠体と、遊技盤の表側に配設されて遊技盤上を流下する遊技球が入賞可能とされた入賞部とを備えたパチンコ機に係り、特に、遊技盤の表側において表示領域よりも上方に配設された入賞部に入賞した遊技球を有利に誘導することが出来る、新規な構造の球誘導路を備えたパチンコ機に関するものである。
【背景技術】
【０００２】
従来から、遊技球が流下せしめられる遊技盤の略中央に設けた窓部を通じて遊技盤の表側（遊技盤面上）に表示領域が見えるように遊技盤の裏側に配設された表示装置と、遊技盤面上に配設されて遊技盤面上を流下せしめられる遊技球が入賞可能な入賞部とを、備えたパチンコ機が知られている。また、このようなパチンコ機においては、一般的に、遊技盤面上における表示領域の周辺部に対してパチンコ機の機種毎に特有の装飾が施された装飾枠体が配設されており、かかる装飾枠体には、遊技盤面上を流下せしめられる遊技球の表示領域への接触を軽減乃至は回避すること等を目的として、少なくとも表示領域の上方において遊技盤面上から突出せしめられた庇部が形成されている場合が多い。そして、このような庇部が装飾枠体に設けられていることにより、遊技球は遊技盤面上において装飾枠体の外側を流下せしめられるようになっている。
【０００３】
ところで、上述の如きパチンコ機においては、近年、特に左右方向の寸法が大きい表示領域を有する表示装置が採用される傾向にあり、それによって、表示領域および該表示領域の周辺部に配設された装飾枠体の遊技盤面上に占める割合が大きくなってきている。そうすると、遊技盤面上で装飾枠体の外側を流下せしめられる遊技球というのは、表示領域の左右方向中央から離隔せしめられるようにして、遊技盤面上を流下せしめられることとなる。その結果、遊技盤面上において表示領域の下方、特に、表示領域の左右方向略中央の下方に配設されているような入賞部への遊技球の入賞が困難になってくるという問題がある。
【０００４】
なお、このような問題に対処するために、従来から、遊技盤面上を流下せしめられる遊技球を表示領域の下方に案内するワープ通路を装飾枠体に形成したパチンコ機が提案されているが、遊技盤面上を流下せしめられる遊技球のうちワープ通路によって表示領域の下方に案内される遊技球というのは僅かであることから、上述の如き問題を解決するためには、更なる工夫が必要とされている。
【０００５】
そこで、遊技盤面上において表示領域の上方に入賞部を配設することが考えられる。しかしながら、入賞部を遊技盤面上において表示領域よりも上方に配設した場合、入賞部に入賞した遊技球を遊技盤の裏側に配設された集合樋まで誘導するための球誘導路の形成が困難になってしまうという問題がある。
【０００６】
すなわち、入賞部を遊技盤面上において表示領域よりも上方に配設した場合、遊技盤の裏側には、大きな表示領域を備えた表示装置が配設されていることから、かかる表示装置を回避しながら、遊技球を集合樋まで誘導する必要がある。そこにおいて、球誘導路には、一般的に、球詰まりを回避して遊技球の誘導を効率良く行うための傾斜が設定されており、かかる傾斜を備えた球誘導路を表示装置を回避しながら形成することが難しく、仮に出来たとしても球誘導路の構造が複雑になってしまうおそれがある。
【０００７】
なお、遊技盤面上において表示領域よりも上方に配設された入賞部を表示領域から十分に離隔位置せしめて、目的とする球誘導路を形成することも考えられるが、遊技盤上における表示領域および装飾枠体の占める割合が大きくなっていることから、遊技盤面上で表示領域よりも上方において入賞部を配設するスペースが制限されてしまい、それによって、遊技盤面上で表示領域の上方に配設された入賞部を表示領域から十分に離隔位置せしめることが難しいという問題がある。仮に、遊技盤面上で表示領域の上方に配設された入賞部を表示領域から十分に離隔位置せしめることが出来たとしても、それに伴って、遊技盤の裏側に配設される各種の部材（例えば、パチンコ機を制御するための基板が収容された基板収容ケース等）の配設形態を変更する必要が生じるおそれがある。
【０００８】
また、特許文献１には、表示装置における表示画面の前面周辺部において遊技盤面より突出して配設されたセンター役物に設けられている入賞部に入賞した遊技球を、センター役物の背面に位置する遊技盤の裏側に配設されて、表示装置を保護する保護ケースの内部に形成された誘導樋によって集合樋まで誘導するパチンコ機が開示されている。
【０００９】
しかしながら、このようなパチンコ機においては、保護ケースの内部に誘導樋が形成されていることから、保護ケース自体が大型化してしまい、それによって、遊技盤の裏側に配設される各種の部材（上述の基板収容ケース等）の配設形態を変更する必要が生じるおそれがある。加えて、入賞部の設けられる位置が変更される毎に誘導樋が形成される位置、延いては、保護ケース自体の設計を変更する必要が生じてしまうという問題もある。
【００１０】
【特許文献１】特開２００１−１３７４９１号公報
【発明の開示】
【発明が解決しようとする課題】
【００１１】
ここにおいて、本発明は、上述の如き事情を背景として為されたものであり、その解決課題とするところは、遊技盤面上で表示装置における表示領域よりも上方に配設された入賞部に入賞した遊技球を表示装置を回避して有利に誘導することが出来る、新規な構造の球誘導路を備えたパチンコ機を提供することにある。
【課題を解決するための手段】
【００１２】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載されたもの、或いはそれらの記載から当業者が把握することが出来る発明思想に基づいて認識されるものであることが理解されるべきである。
【００１３】
本発明の第一の態様は、遊技盤の略中央に設けた窓部を通じて該遊技盤の表側から表示領域が見えるように該遊技盤の裏側に配設された表示装置と、該遊技盤の表側において該表示領域の周辺部に配設された装飾枠体と、該遊技盤の表側に配設されて遊技球が入賞可能な入賞部とを備えたパチンコ機において、前記入賞部を前記表示領域の上方に配設すると共に、かかる入賞部に入賞した遊技球を誘導する球誘導路を前記装飾枠体における該表示領域の上方から該表示領域の側方に亘って形成し、該球誘導路によって、該入賞部に入賞した遊技球を前記遊技盤の裏側に誘導するようにしたことを、特徴とする。
【００１４】
このような本態様に従う構造とされたパチンコ機においては、表示領域の上方に配設された入賞部に入賞した遊技球を誘導する球誘導路が装飾枠体における表示領域の上方から側方に亘って形成されており、かかる球誘導路によって遊技球を遊技盤の裏側に誘導するようになっていることから、球誘導路の形状等を適当に調節することにより、例えば、表示装置の下方等のように、表示装置が邪魔にならない位置まで遊技球が誘導されることとなる。
【００１５】
従って、本態様に係るパチンコ機においては、遊技盤の裏側に配設された表示装置を有利に回避して遊技球を誘導することが可能となる。
【００１６】
特に、本態様においては、既存の装飾枠体を巧く利用して球誘導路を形成していることから、例えば、表示装置が表示領域を備えた表示装置本体と該表示装置本体を保護する保護ケースによって構成されている場合であって、且つ、かかる保護ケースに誘導樋が形成されている場合に比して、保護ケース、延いては、表示装置の全体サイズを大きくしないようにすることが可能となり、それによって、遊技盤の裏側に配設される各種の部材（例えば、パチンコ機を制御するための制御基板が収容された基板収容ケース等）の配設形態を変更する必要がなくなる。更に、本態様においては、装飾枠体内のデッドスペースを巧く利用して球誘導路を形成することが可能となり、それによって、表示装置の他、例えば、制御基板を収容した基板収容ケース等の多くの部材が配設されている遊技盤の裏側（特に遊技盤の裏側の中央部分）を避けて、有利に球誘導路を形成することが可能となる。また、装飾枠体というのは、パチンコ機の機種毎に固有のものであるが、表示装置は他の機種に流用することも可能であるところ、例えば、表示装置が表示領域を備えた表示装置本体と該表示装置本体を保護する保護ケースによって構成されている場合であって、且つ、保護ケースに誘導樋が形成されている場合には、表示装置を他の機種に流用できない場合があるが、本態様においては、表示装置を他の機種に流用することが容易に可能となる。
【００１７】
更にまた、本態様においては、球誘導路が装飾枠体における表示領域よりも上方から側方に亘って形成されていることから、例えば、遊技盤の裏側下方において入賞部に入賞した遊技球を集めるための集合樋が配設されており、且つ、球誘導路の出側開口から排出された遊技球が集合樋まで落下せしめられる場合には、球誘導路の出側開口から集合樋までの距離、即ち、遊技球の落下距離を短くすることが可能となり、それによって、遊技球が落下して集合樋に衝突した際に集合樋に及ぼされる衝撃を軽減することが可能となる。
【００１８】
本発明の第二の態様は、前記第一の態様に係るパチンコ機において、前記装飾枠体に形成された前記球誘導路における前記遊技盤の裏側への出側開口を、前記表示装置に対して遊技球が通過可能な程度の隙間をもって対向位置せしめて、該球誘導路の出側開口から排出された遊技球を該隙間から該遊技盤の下方に誘導するようにしたことを、特徴とする。このような本態様に従う構造とされたパチンコ機においては、球誘導路の出側開口から排出された遊技球を、球誘導路の出側開口と表示装置の間に形成された隙間から遊技盤の下方に誘導するようになっていることから、例えば、遊技盤の裏側下方において入賞部に入賞した遊技球が集められる集合樋が配設されている場合に、球誘導路の出側開口から排出された遊技球を表示装置を回避するようにして集合樋まで誘導する誘導部材を別途設ける必要がなく、それによって、入賞部に入賞した遊技球の誘導に必要な部品点数を少なくすることが可能となる。
【００１９】
本発明の第三の態様は、前記第二の態様に係るパチンコ機において、前記球誘導路の出側開口から排出された遊技球を前記遊技盤の下方に誘導するための誘導通路を形成する誘導部材が前記隙間に配設されていることを、特徴とする。このような本態様に従う構造とされたパチンコ機において、誘導部材によって形成される誘導通路の形状等を適当に調節することにより、例えば、球誘導路の出側開口から排出された遊技球を遊技盤の裏側下方に配設された集合樋まで落下せしめる場合において、遊技球が集合樋に衝突した際の衝撃を抑えることが可能となる。
【００２０】
本発明の第四の態様は、前記第一乃至第三の何れかの態様に係るパチンコ機において、前記球誘導路が前記装飾枠体における前記表示領域の上方の幅方向略中央部分から該表示領域の左右両側の何れか一方に亘って形成されていることを、特徴とする。このような本態様に従えば、装飾枠体において球誘導路が形成されていない部分を有効に利用することが可能となり、例えば、遊技盤の表面を流下せしめられる遊技球を表示領域の下方に案内するワープ通路を装飾枠体に形成することが可能となる。
【００２１】
本発明の第五の態様は、前記第一乃至第四の何れかの態様に係るパチンコ機において、前記装飾枠体に対して、前記表示領域よりも上方において前記遊技盤の表側に突出する庇部を形成すると共に、該庇部内に前記球誘導路を形成し、該球誘導路によって、前記入賞部に入賞した遊技球を該遊技盤の表側において該表示領域の側方まで導いてから該遊技盤の裏側に誘導するようにしたことを、特徴とする。このような本態様に従えば、装飾枠体における遊技盤の表側に突出した部分（庇部）内のスペースを巧く利用して効率的に球誘導路を形成することが可能となる。また、本態様においては、球誘導路の設計自由度を向上することが可能となる。
【００２２】
本発明の第六の態様は、前記第一乃至第五の態様に係るパチンコ機において、前記表示領域の上方に配設された前記入賞部が前記装飾枠体に対して一体的に形成されていることを、特徴とする。このような本態様に従えば、表示領域の上方に配設された入賞部と装飾枠体を一体的に取り扱うことが可能となり、それによって、パチンコ機の組立作業性を向上することが可能となる。また、本態様においては、遊技盤の表側において表示領域の上方に配設される入賞部の配設スペースを考慮する必要がなくなる。
【発明の効果】
【００２３】
上述の説明から明らかなように、本発明に従う構造とされたパチンコ機においては、装飾枠体に形成された球誘導路によって遊技盤の裏側に遊技球が誘導されるようになっていることから、球誘導路の形状や通路長さ等を適当に調節することによって、表示領域の上方に配設された入賞部に入賞した遊技球が、遊技盤の裏側に配設された表示装置が邪魔にならない位置まで誘導されることとなり、その結果、表示装置を巧く回避して遊技球を誘導することが可能となる。
【発明を実施するための最良の形態】
【００２４】
以下、本発明を更に具体的に明らかにするために、本発明の実施形態について、図面を参照しつつ、詳細に説明する。
【００２５】
図１には、本発明の一実施形態としてのパチンコ機が示されている。パチンコ機１０において機体の外郭をなす外枠１２の開口前面側には、中枠１４が開閉および着脱自在に組み付けられている。中枠１４の前面側には、中枠１４に対して着脱自在に組み付けられた遊技盤１６を透視保護するためのガラス枠１８と上皿２０を備えた皿板２２が何れも開閉可能な状態で組み付けられている。また、上皿２０の下方には、下皿２４が設けられており、かかる下皿２４の右方には、発射ハンドル２６が設けられている。そして、遊技者が発射ハンドル２６に対して回動可能に装着された発射レバー２８を回動操作することにより、上皿２０に貯留された遊技球が球送り機構（図示せず）を介して発射装置（図示せず）に送られた後、遊技盤１６に形成された遊技領域３４に向けて発射されるようになっている。
【００２６】
次に、遊技盤１６の構造について、図２に基づいて説明する。遊技盤１６は、表面に合成樹脂製のシートが被着された遊技板３０を備えており、かかる遊技板３０に設けられたガイドレール３２によって囲まれた略円形の遊技領域３４には、装飾枠体としてのセンター飾り３６や大入賞口装置３８等の各種構造物が設けられている。
【００２７】
このセンター飾り３６は、図３乃至図５にも示されているように、全体として、貫通孔４０を有する本体枠４２の一方の開口端に対して外方に広がる取付板４４が一体的に設けられた構造とされており、貫通孔４０は、本体枠４２の一方の開口端と他方の開口端で、その形状や大きさが異なっている。特に、本実施形態では、貫通孔４０は、本体枠４２における取付板４４が設けられたほうと反対側の開口端において、後述する表示画面８６に対応した大きさおよび形状に設定されている。
【００２８】
また、本体枠４２の下端内周部分には、遊技領域３４に打ち込まれている遊技釘（図示せず）に当たって本体枠４２の下端内周部分に案内されてきた遊技球を転動させるステージ４６ａ，ｂが奥側と手前側の２段に亘って形成されている。そして、奥側のステージ４６ａ上を転動せしめられた遊技球は、奥側のステージ４６ａの適数カ所に形成された奥側傾斜面４８ａによって手前側のステージ４６ｂに案内されるようになっており、また、手前側のステージ４６ｂ上を転動せしめられた遊技球は、手前側のステージ４６ｂの適数カ所に形成された手前側傾斜面４８ｂによって直接に、或いは、奥側ステージ４６ａと本体枠４２における取付板４４が設けられたほうの開口端とを連通する連通孔５０を通じて遊技領域３４に放出されるようになっている。なお、本実施形態では、本体枠４２および取付板４４は、可視光線に対して透明とされていない合成樹脂材によって形成されている。
【００２９】
さらに、本体枠４２において取付板４４が設けられた側の開口端には、貫通孔４０よりも上方に位置せしめられる部分において、本体枠４２における取付板４４が設けられたほうの開口端面から突出せしめられた庇部としての庇５２が設けられており、本実施形態では、かかる庇５２は、貫通孔４０の上方から貫通孔４０の左右両側にまで延び出している。この庇５２は、略門形の板状とされた前飾り板部５４の外周縁部に沿って一体形成された周壁部５６の開口端が、本体枠４２における取付板４４が設けられたほうの開口端に重ね合わされて固定されており、それによって、庇５２が本体枠４２に対して一体的に設けられている。このことから明らかなように、本実施形態では、庇５２内に空間が形成されており、特に、前飾り板部５４と本体枠４２の対向面間距離は、遊技球の直径よりも大きくされている。なお、庇５２の本体枠４２への固定は、接着，ビス止め，嵌め込み係止等によって有利に実現できる。
【００３０】
また、前飾り板部５４には、周壁部５６が設けられたほうと反対側の面に対してパチンコ機１０に特有の装飾が施されている一方、周壁部５６が設けられたほうにおいて一対の通路側壁５８，５８が突設されている。これら一対の通路側壁５８，５８は、遊技球の直径よりも大きな対向面間距離を維持しながら、前飾り板部５４において本体枠４２の貫通孔４０の上方に位置せしめられる部分から本体枠４２の貫通孔４０の側方に位置せしめられる部分まで連続して延びるように設けられており、特に、本実施形態では、前飾り板部５４において本体枠４２の貫通孔４０の上方に位置せしめられた部分の上端から本体枠４２の貫通孔４０の右側に位置せしめられた部分の延出端まで連続して延びるように設けられている。具体的には、一対の通路側壁５８，５８は、先ず、略一定の対向面間距離を維持しながら、貫通孔４０側に向かって真っ直ぐ延びた後、貫通孔４０の右側に向かって湾曲せしめられて、貫通孔４０の右上隅に向かって真っ直ぐ延びており、このように貫通孔４０の右上隅に向かって真っ直ぐ延びている一対の通路側壁５８，５８は、貫通孔４０の右上隅を通過した辺りで、今度は、貫通孔４０の下方に向かって湾曲せしめられて、貫通孔４０の右側を貫通孔４０に沿うようにして真っ直ぐ延びている。なお、本実施形態では、一対の通路側壁５８，５８の突出高さは、何れも、前飾り板部５４と本体枠４２の対向面間距離と略同じとされている。また、図面上では明示されていないが、本実施形態では、一対の通路側壁５８，５８は、何れも、その一部分が周壁部５６と一体化している。
【００３１】
これにより、庇５２内には、前飾り部５４，本体枠４２および一対の通路側壁５８，５８によって構成されて、遊技球が通過可能な程度の断面形状で、貫通孔４０の上側から右側に亘って延びる球誘導路としての球通路６０が形成されており、かかる球通路６０の上流端（貫通孔４０の上側に位置せしめられたほうの端部）は、図６に示されているように、周壁部５６に形成された入賞部としての上側開口部６２を通じて外部に接続されている一方、球通路６０の下流端（貫通孔４０の右側に位置せしめられたほうの端部）は、取付板４４に形成された下側開口部６４を通じて外部に接続されている。なお、図６には、遊技板３０にセンター飾り３６のみが取り付けられた状態での球通路６０を説明するための断面図が示されており、後述する羽根７２およびソレノイド７４は仮想線で示してある。
【００３２】
そこにおいて、本実施形態では、下側開口部６４の内周面と周壁部５６の内周面は、面一とされている。また、本実施形態では、取付板４４に形成された下側開口部６４の周辺において、球通路６０側と反対方向にＵ字断面形状で延びるＵ字溝部６６が、取付板４４に対して一体形成されており、それによって、球通路６０が実質的に延長されている。更に、本実施形態では、Ｕ字溝部６６の底壁内周面および周壁部５６の内周面において下側開口部６４を通じてＵ字溝部６６の底壁内周面と面一に接続されている部分に対してリブ６８が突設されており、かかるリブ６８には、Ｕ字溝部６６の延び出し方向に向かって下る傾斜面７０が形成されている。なお、本実施形態では、庇５２は、可視光線に対して透明とされていない合成樹脂材によって形成されており、それによって、球通路６０が外部から視認できないようになっている。
【００３３】
また、上側開口部６２の付近には、一対の羽根７２，７２が配設されており、取付板４４の裏側に配設されたソレノイド７４への通電に基づいてクランク７６がバネ７８の付勢力に抗して引き付けられると、一対の羽根７２，７２が開いて、上側開口部６２の大きさが実質的に拡大された状態となる一方、ソレノイド７４への通電がされなくなると、バネ７８の復元力によりクランク７６が元の位置に戻り、一対の羽根７２，７２が閉じて、上側開口部６２の大きさが元の大きさに戻るようになっている。
【００３４】
さらに、上側開口部６２には、遊技球が通過したことを検出する通過検出手段としての近接スイッチ８０が配設されており、かかる近接スイッチ８０は、遊技球が通過したことを検出すると電気信号（検出信号）を出力するようになっている。
【００３５】
このような構造とされたセンター飾り３６は、遊技板３０の略中央に形成された窓部としての挿通孔８２（図６参照）に対して遊技板３０の表面（遊技領域３４）側から挿通されて、取付板４４が遊技領域３４に対してビス等によって固定されることで、遊技領域３４に設けられるようになっている。これにより、上側開口部６２が遊技領域３４に開口せしめられる一方、下側開口部６４が遊技板３０の裏側に開口せしめられると共に、Ｕ字溝部６６が遊技板３０の裏側に向かって延び出している。なお、挿通孔８２は、センター飾り３６における本体枠４２，Ｕ字溝部６６およびソレノイド７４が挿通可能な大きさと形状に設定されている。また、本実施形態では、センター飾り３６が遊技板３０に取り付けられた状態で、Ｕ字溝部６６の延出端は、遊技板３０の裏面に対して略面一とされている。
【００３６】
更にまた、このように遊技領域３４に設けられたセンター飾り３６の裏側には、表示装置としての表示器８４が配設されている。この表示器８４は、図７に示されているように、表示領域として１０インチの表示画面８６を有する液晶表示器によって構成された表示器本体８８と、表示器本体８８を遊技盤１６（遊技板３０）の裏側に取り付けるための取付ケース９０を含んで構成されており、取付ケース９０に設けられた取付脚部９２を遊技板３０の裏側にビス等で取り付けることによって、表示器８４が遊技盤１６（遊技板３０）の裏側に取り付けられるようになっている。
【００３７】
上述の如く、表示器８４が遊技板３０の裏側に取り付けられた状態下において、表示器本体８８に設けられた表示画面８６は、図８にも示されているように、本体枠４２に形成された貫通孔４０を通じて遊技領域３４側から視認出来るようになっている。そこにおいて、本実施形態では、表示画面８６の幅方向（図８中の左右方向）寸法が遊技盤１６（遊技板３０）の幅方向（図８中の左右方向）寸法の３０％以上とされていると共に、センター飾り３６の幅方向（図８中の左右方向）寸法：Ｌ３が遊技盤１６（遊技板３０）の幅方向寸法の４５％以上とされている。なお、図８では、遊技領域３４にセンター飾り３６のみ配設された状態が示されている。
【００３８】
また、このように表示器８４が遊技板３０の裏側に取り付けられた状態下において、Ｕ字溝部６６の延出端は、図９に示されているように、取付ケース９０に対して遊技球の直径よりも大きな隙間９４をもって対向位置せしめられており、特に、本実施形態では、Ｕ字溝部６６の延出端は、表示画面８６の右側において、取付ケース９０に対向位置せしめられている。このことから明らかなように、本実施形態では、Ｕ字溝部６６の延出端によって球誘導路の出側開口が構成されている。
【００３９】
更にまた、かかる隙間９４には、誘導部材としての誘導溝９６が配設されている。この誘導溝９６は、コ字状断面で延びる形状とされており、一対の側壁部９８，９８の対向面間によって誘導通路としての誘導路１００が構成されている。そして、本実施形態では、誘導溝９６は、取付ケース９０に対して固定されている。なお、誘導溝９６の取付ケース９０への固定は、接着，ビス止め等によって有利に実現することが可能である。また、本実施形態では、誘導溝９６は、その延出方向中間部分において、側壁部９８，９８の厚さ方向に屈曲せしめられており、それによって、誘導路１００によって誘導される遊技球は遊技板３０の右斜め下方に排出されるようになっている。
【００４０】
このような構造とされたパチンコ機１０においては、遊技者が発射レバー２８を回動操作することにより、遊技球が遊技領域３４に向けて発射される。このように遊技領域３４に向けて発射された遊技球は、遊技領域３４に打ち込まれた多数の遊技釘（図示せず）に衝突しながら遊技領域３４を流下せしめられることとなる。そして、遊技領域３４を流下せしめられる遊技球が上側開口部６２に入賞すると、上側開口部６２に配設された近接スイッチ８０が検出信号を出力し、かかる検出信号は、パチンコ機１０の遊技を全体的に制御する主制御回路（図示せず）に入力されるようになっている。このようにして近接スイッチ８０からの検出信号が入力されると、主制御回路は抽選を行い、その抽選結果に基づいて抽選結果の報知態様を決定する。
【００４１】
また、このようにして、主制御回路が決定した抽選結果の報知態様に基づいて、表示制御回路（図示せず）は、表示器本体８８を制御し、表示画面８６において抽選結果を報知する。そして、表示画面８６において抽選結果が当たりであることが報知された場合には、遊技領域３４においてセンター飾り３６の下方に設けられた大入賞口装置３８に形成された大入賞口（図示せず）を塞いでいる扉１０２が所定の条件で開閉作動せしめられるようになっている。なお、このことから明らかなように、本実施形態では、パチンコ機１０は、所謂、第１種パチンコ機とされており、また、上側開口部６２は、所謂、第１種始動口とされている。
【００４２】
そこにおいて、主制御回路は、図示しない主制御基板上に形成されており、かかる主制御基板は、主制御基板ケース（図示しない）に収容された状態で、パチンコ機１０の裏側の適当な位置（例えば、遊技盤１６の裏側等）に配設されている。また、表示制御回路は、図示しない表示制御基板上に形成されており、かかる表示制御基板は、表示制御基板ケース（図示しない）に収容された状態で、パチンコ機１０の裏側の適当な位置（例えば、遊技盤１６の裏側等）に配設されている。なお、表示制御基板は、表示器本体８８を遊技板３０の裏側に取り付ける取付ケース９０内に収容されていても良い。
【００４３】
また、上側開口部６２に入賞した遊技球は、球通路６０を通って球通路６０の下流端まで誘導されると、リブ６８の傾斜面７０に沿って下側開口部６４側に誘導され、下側開口部６４を通過した後、Ｕ字溝部６６をリブ６８の傾斜面７０に沿って通る。その結果、上側開口部６２に入賞した遊技球は、遊技盤１６の裏側に誘導されることとなる。このように遊技盤１６の裏側に向けて誘導された遊技球は、Ｕ字溝部６６の延出端と取付ケース９０の対向面間に形成された隙間９４に配設された誘導溝９６によって形成された誘導路１００を通って遊技盤１６の下方に向けて誘導される。そして、誘導路１００の出口から排出された遊技球は、遊技盤１６の裏側下方に配設されて、上側開口部６２や大入賞口等に入賞した遊技球を集める集合樋（図示せず）に向かって落下せしめられ、集合樋に集められるようになっている。
【００４４】
このような構造とされたパチンコ機１０においては、上側開口部６２に入賞した遊技球が、センター飾り３６内に形成された球通路６０によって遊技盤１６の裏側に向けて誘導され、また、遊技盤１６の裏側において、Ｕ字溝部６６の延出端と取付ケース９０の対向面間に配設された誘導溝９６によって形成された誘導路１００によって、遊技盤１６の裏側下方に配設された集合樋に向けて誘導されるようになっていることから、遊技盤１６の裏側に配設された表示器８４を巧く回避して遊技球を誘導することが可能となる。
【００４５】
また、本実施形態では、球通路６０の下流端において、遊技盤１６の裏側に向かって下る傾斜面７０を備えたリブ６８が設けられており、球通路６０の下流端まで誘導された遊技球が、リブ６８の傾斜面７０に沿って遊技盤１６の裏側に誘導されるようになっていることから、球通路６０での球詰まり、特に、球通路６０の下流端での球詰まりを有利に回避することが可能となり、その結果、上側開口部６２に入賞した遊技球の遊技盤１６の裏側への誘導を有利に実現することが可能となる。
【００４６】
さらに、本実施形態では、Ｕ字溝部６６から排出された遊技球が誘導路１００によって表示器８４を外れた領域まで誘導されるようになっていることから、隙間９４での球詰まり等の不具合を生じ難くすることが可能となる。
【００４７】
更にまた、本実施形態では、Ｕ字溝部６６の延出端と取付ケース９０の隙間９４に誘導溝９６が配設されていることから、Ｕ字溝部６６から排出された遊技球が直接に取付ケース９０に対して衝突することを回避することが可能となる。
【００４８】
以上、本発明の一実施形態について詳述してきたが、これはあくまでも例示であって、本発明は、かかる実施形態における具体的な記載によって、何等、限定的に解釈されるものではない。
【００４９】
例えば、前記実施形態では、表示領域（８６）の上方に配設された入賞部（６２）が、装飾枠体（３６）に対して一体的に設けられていたが、装飾枠体と別体で設けられていても良い。そこにおいて、表示領域の上方に配設された入賞部と装飾枠体を別体で設ける場合には、例えば、表示領域の上方に配設された入賞部を、遊技盤の表側の上方に開口すると共に、その底壁に貫通孔が形成された開口箱形状とし、入賞部に入賞した遊技球が底壁に形成された貫通孔から再び遊技盤の表面を流下した後、装飾枠体に形成された球誘導路によって遊技盤の裏側に向けて誘導されるようにすることで、有利に実現することが出来る。
【００５０】
さらに、前記実施形態では、表示領域（８６）の上方に配設された入賞部（４２）は、入口の大きさを実質的に拡大することが出来る、所謂、チューリップ型の入賞装置であったが、表示領域の上方に配設される入賞部の種類は、前記実施形態のものに限定されず、例えば、所定の条件が満たされた場合に開口部を閉鎖している扉が所定の開放条件で開放せしめられる大入賞口装置や、かかる大入賞口装置とは異なり、遊技球の入賞が可能にされていると共に、その開口部の大きさが変化せしめられることがない普通入賞装置であっても良い。
【００５１】
また、球誘導路の断面形状は、遊技球を誘導することが出来るものであれば特に限定されるものではなく、例えば、円形，楕円形，三角形，矩形等が何れも採用可能である。更に、球誘導路の断面の大きさは、遊技球が通過できる程度の大きさであれば、特に限定されるものではない。更にまた、球誘導路の通路長さは、特に限定されず、装飾枠体における表示領域の上方から側方を経て下方にまで延びるように形成されていても良い。また、球誘導路の形状も、前記実施形態のものに限定されることなく、例えば、蛇行して延びるような形状であっても良い。
【００５２】
さらに、球誘導路は、装飾枠体内に形成されていても良いし、装飾枠体の外側に形成されていても良い。装飾枠体内に球誘導路を形成する方法としては、例えば、装飾枠体に通路孔を設け、かかる通路孔によって球誘導路を構成すること等が考えられる。また、装飾枠体の外側に球誘導路を形成する方法としては、例えば、装飾枠体の外面に対して一対の側壁部を一体形成し、それら一対の側壁部の対抗面間によって球誘導路を構成すること等が考えられる。そこにおいて、装飾枠体の外面に対して一対の側壁部を一体形成し、それら一対の側壁部の対抗面間によって球誘導路を構成する場合には、一対の側壁部は、遊技盤の表側に配設されるガラス枠に向かって突設せしめられていることが望ましく、それによって、一対の側壁部の対抗面間をガラス枠によって保持されたガラス板によって覆うことが可能となり、その結果、球誘導路によって誘導されている遊技球が球誘導路を外れて、再び遊技盤の表側を流下しないようにすることが可能となる。
【００５３】
更にまた、球誘導路は、その壁部の全てが装飾枠体によって構成されている必要はなく、例えば、装飾枠体と該装飾枠体に重ね合わされる遊技盤との間に隙間を形成し、かかる隙間を利用して球誘導路を形成する、即ち、壁部の一部が遊技盤によって構成されている球誘導路を形成するようにしても良い。
【００５４】
また、前記実施形態では、通路側壁５８，５８が前飾り板部５４に設けられていたが、本体枠４２側に設けられていても良い。更に、前記実施形態では、通路側壁５８，５８の突出高さが、前飾り板部５４と本体枠４２の対向面間距離と略同じ大きさとされていたが、球通路６０による遊技球の誘導に悪影響を与えないのであれば、通路側壁５８，５８の突出高さを、前飾り板部５４と本体枠４２の対向面間距離よりも小さくしても良い。更にまた、前記実施形態では、一対の通路側壁５４，５４の突出高さは、互いに同じとされていたが、互いに異なっていても良い。
【００５５】
さらに、前記実施形態では、庇５２と本体枠４２の間に空間が形成されるようになっていたが、必ずしも空間が形成される必要はない。例えば、中実ブロック形状を有する庇を採用すると共に、庇に対して通路孔を形成し、該通路孔によって球誘導路を構成しても良い。また、前記実施形態では、庇５２と本体枠４２が別体形成されていたが、一体形成されていても良い。
【００５６】
更にまた、前記実施形態の庇５２において、球通路６０が形成されていない部分、即ち、貫通孔４０の左側に位置せしめられる部分に対して、遊技領域３４を流下せしめられる遊技球を奥側ステージ４６ａおよび手前側ステージ４６ｂの何れか一方に誘導するワープ通路を形成しても良いし、或いは、装飾等に用いられるＬＥＤを収容するようにしても良い。また、前記実施形態では、庇５２が可視光線に対して不透明な合成樹脂材によって形成されていることにより、庇５２内に形成された球通路６０が外部から視認不可とされていたが、庇５２を可視光線に対して無色乃至有色透明な合成樹脂材によって形成し、球通路６０を外部から視認可能にしても良い。
【００５７】
さらに、前記実施形態では、近接スイッチ８０は、上側開口部６０に配設されていたが、近接スイッチ８０の配設位置は、上側開口部６２に限定されることはなく、例えば、球通路６０上であっても良いし、遊技盤１６の裏側であっても良い。
【００５８】
更にまた、前記実施形態では、通過検出手段として近接スイッチ８０が採用されていたが、通過検出手段は、遊技球の通過を検出すると電気信号（検出信号）を出力するものであれば、特に限定されるものではなく、例えば、従来から公知のマイクロスイッチや光電スイッチ等によっても構成することが可能である。
【００５９】
また、前記実施形態では、球誘導路は、一つしか形成されていなかったが、複数形成されていても良い。
【００６０】
更にまた、前記実施形態では、庇５２内にのみ球通路６０が形成されていたが、本体枠４２に球通路が形成されていても良い。
【００６１】
さらに、前記実施形態では、Ｕ字溝部６６の延出端と取付ケース９０の隙間９４に誘導溝９６が配設されていたが、かかる誘導溝９６は、必ず配設されている必要はない。また、誘導溝９６の形状や通路長さ等も前記実施形態のものに限定されることはなく、例えば、蛇行するように延びる形状であっても良い。更にまた、前記実施形態では、誘導溝９６が取付ケース９０に固定されていたが、誘導溝９６は、必ず取付ケース９０に取り付けられる必要なく、例えば、遊技盤１６（遊技板３０）の裏側に直接に取り付けられていても良い。更に、取付ケース９０に対して一対の側壁部９８，９８を形成し、該取付ケース９０に誘導路１００を直接形成するようにしても良い。
【００６２】
また、前記実施形態では、Ｕ字溝部６６と該Ｕ字溝部６６に対して面一に接続された周壁部５６に対して傾斜面７０を備えたリブ６８が設けられていたが、かかるリブ６８は、必ず設ける必要はなく、リブ６８を設けない場合には、周壁部５６において下側開口部６４を通じてＵ字溝部６６に接続されている部分およびＵ字溝部６６の底に対して傾斜面を設けるようにすることが望ましく、それによって、球通路６０での球詰まりを有利に回避することが可能となる。
【００６３】
さらに、前記実施形態では、表示器本体８８が液晶表示器によって構成されていたが、表示器本体８８を、プラズマディスプレイやドットマトリクス，モータによって回転駆動せしめられるドラム等の何れか一つによって、或いは、液晶表示器，プラズマディスプレイやドットマトリクス，モータによって回転駆動せしめられるドラム等のうちから複数を選択し、それら選択されたものを組合わせたものによって構成しても良い。更にまた、前記実施形態では、表示装置が表示器本体８８と取付ケース９０によって構成されていたが、表示器本体８８のみで構成されるようにしても良い。
【００６４】
また、前記実施形態では、一対の通路側壁５８，５８は、それぞれ、その一部が周壁部５６と一体化されていたが、通路側壁５８と周壁部５６が一体化されている必要はない。
【００６５】
加えて、前記実施形態では、第１種パチンコ機に対して本発明を適用したものの一具体例が示されていたが、本発明は、第３種パチンコ機に対しても、勿論、適用可能である。
【００６６】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【００６７】
【図１】本発明の一実施形態としてのパチンコ機の正面図である。
【図２】図１に示されたパチンコ機に採用されている遊技盤の正面図である。
【図３】図２に示された遊技盤に取り付けられているセンター飾りの正面図である。
【図４】図３に示されたセンター飾りの側面図である。
【図５】図３に示されたセンター飾りの斜視図である。
【図６】センター飾りに形成された球通路を説明するための断面図であって、図３におけるＶＩ−ＶＩ断面に相当する図である。
【図７】遊技盤の裏側に配設される表示器の斜視図である。
【図８】遊技盤の裏側に表示器が配設された状態を説明する図面である。
【図９】図２におけるＩＸ−ＩＸ方向の断面に相当する図面であって、その要部を示すものである。
【符号の説明】
【００６８】
１０  パチンコ機
１６  遊技盤
３６  センター飾り
６０  球通路
６２  上側開口部
８４  表示器
８６  表示画面
【図１】
2005211490.tif 000003
【図２】
2005211490.tif 000004
【図３】
2005211490.tif 000005
【図４】
2005211490.tif 000006
【図５】
2005211490.tif 000007
【図６】
2005211490.tif 000008
【図７】
2005211490.tif 000009
【図８】
2005211490.tif 000010
【図９】
2005211490.tif 000011